(57)【要約】【課題】オートピックアップ制御装置を判定する試験を速く実施すること。【解決手段】ＣＰＵを有するデータロガー１１と、他のＣＰＵを有する制御用コンピュータ１２とを備えている。データロガー１１は、停電時に動作すべき機器７−ｉの起動を検出するセンサ１５から起動の時刻を収集し、その時刻を機器７−ｉに対応づける測定結果を記録する。制御用コンピュータ１２は、停電時に機器７−ｉを起動するタイミングを制御するオートピックアップ制御装置８−ｉの良否をその測定結果に基づいて判定する。データロガー１１は、汎用のデータロガーを適用することができ、制御用コンピュータ１２は、汎用のコンピュータを適用することができる。このとき、いずれかが故障したときに、迅速に調達することができ、オートピックアップ制御装置８−ｉの良否を判定する試験をスムーズに速く実施することができる。【選択図】図２
2004096957.tif 000002
【特許請求の範囲】
【請求項１】
ＣＰＵを有するデータロガーと、
前記ＣＰＵと異なる他のＣＰＵを有する制御用コンピュータとを具備し、
前記データロガーは、
停電時に動作すべき機器の起動を検出するセンサから前記起動の時刻を収集するデータ収集部と、
前記時刻を前記機器に対応づける測定結果を記録する測定結果データベース部とを備え、
前記制御用コンピュータは、前記停電時に前記機器を起動するタイミングを制御するオートピックアップ制御装置の良否を前記測定結果に基づいて判定するオートピックアップ判定部を備える
オートピックアップ自動試験装置。
【請求項２】
請求項１において、
前記機器は、
前記停電時に動作する補機と、
前記停電時に前記補機に供給される電力を生成する自家発電機とを含む
ことを特徴とするオートピックアップ自動試験装置。
【請求項３】
請求項２において、
前記制御用コンピュータは、
前記機器を模擬して前記機器が起動する模擬時刻を生成するシミュレータ部と、
データロガー判定部とを更に備え、
前記データ収集部は、前記模擬時刻を収集し、
前記測定結果データベース部は、前記模擬時刻を前記機器に対応づける模擬測定結果を記録し、
前記データロガー判定部は、前記模擬測定結果を表示する
ことを特徴とするオートピックアップ自動試験装置。
【請求項４】
請求項３において、
前記センサは、前記時刻を示す起動信号を生成し、
前記制御用コンピュータは、前記模擬時刻を示す模擬起動信号を生成し、
前記データ収集部は、
前記データロガーがコネクタを介して前記起動信号を受信することにより前記時刻を収集し、
前記データロガーが前記コネクタを介して前記模擬起動信号を受信することにより前記模擬時刻を収集する
ことを特徴とするオートピックアップ自動試験装置。
【請求項５】
請求項４において、
前記制御用コンピュータは、ホスト機に接続される回線網に接続され、
前記制御用コンピュータは、
前記オートピックアップ判定部により判定された前記オートピックアップ制御装置の良否を前記ホスト機に前記回線網を介して送信する判定結果送信部を更に備える
ことを特徴とするオートピックアップ自動試験装置。
【請求項６】
停電時に動作すべき機器が起動する時刻を測定して前記時刻を前記機器に対応づける測定結果を記録するデータロガーから前記測定結果を収集し、前記測定結果を表示するオートピックアップ制御装置の良否を判定するステップをコンピュータに実行させるコンピュータプログラムと、
前記機器を模擬して模擬起動信号を前記データロガーに出力するステップを前記コンピュータに実行させるコンピュータプログラムと、
前記データロガーにより前記模擬起動信号に基づいて測定される模擬時刻を前記機器に対応づける模擬測定結果を前記データロガーから収集し、前記模擬測定結果に基づいて前記データロガーの良否を判別するステップを前記コンピュータに実行させるコンピュータプログラム
とを具備するオートピックアップ自動試験プログラム。
【発明の詳細な説明】
【０００１】
【発明の属する技術分野】
本発明は、オートピックアップ自動試験装置に関し、特に、停電時に機器を起動するタイミングを制御するオートピックアップ制御装置を試験するときに利用されるオートピックアップ自動試験装置に関する。
【０００２】
【従来の技術】
プラントでは、一般に電気事業者から供給される電力を用いて機器を動作させている。原子力発電所に例示されるプラントでは、さらに、自家発電装置を備え、電気事業者から電力の供給が絶たれる停電時に、その自家発電装置を用いて自家発電して機器を動作させる必要がある。
【０００３】
図８は、原子力発電所に例示される公知のプラントを示している。そのプラント１００は、送電線１０１を介して電気事業者の発電所または変電所から電力が送電されている。プラント１００は、変圧器１０２と母線１０３とを備えている。変圧器１０２は、送電線１０１から送電される電力の電圧を適当な電圧に変換して母線１０３に供給する。変圧器１０２は、さらに、母線１０３が供給する電力の電圧を監視し、その電圧が所定の電圧より低いときに、送電線から母線１０３に電力を供給することを遮断する。プラント１００は、さらに、複数の機器を備えている。その複数の機器は、母線１０３から供給される電力を用いて動作する。
【０００４】
プラント１００は、さらに、自家発電装置１０５、複数の補機１０６−１〜１０６−３および遮断機１０７を備えている。自家発電装置１０５は、変圧器１０２により母線１０３が供給する電力に低電圧が検出されたときに、起動して自家発電する。遮断機１０７は、自家発電装置１０５が動作していないときに、自家発電装置１０５と母線１０３とを遮断し、自家発電装置１０５が十分な電力を生成したときに、その電力を母線１０３に供給する。補機１０６−１〜１０６−３は、送電線１０１から電力の供給が絶たれる停電時に、起動すべき機器である。補機１０６−１〜１０６−３としては、排風機、送風機、冷却ファン、安全空気圧縮装置、監視制御盤が例示される。
【０００５】
複数の補機１０６−１〜１０６−３は、同時に起動されると、大きい突入電流が流れ、自家発電装置１０３がダウンしてしまうことがある。このようなダウンを防止することが望まれている。
【０００６】
プラント１００は、さらに、リレー１０８−１〜１０８−３とオートピックアップ制御装置１１０とを備えている。リレー１０８−ｍ（ｍ＝１，２，３）は、母線１０３から補機１０６−ｍに電力を供給し、または、電力の供給を遮断する。オートピックアップ制御装置１１０は、リレー１０８−１〜１０８−３を制御して、補機１０６−１〜１０６−３が同時に起動しないようにしている。このようなオートピックアップ制御装置は、特開２００２−９５２９６号公報に示されて、公知である。
【０００７】
図９は、オートピックアップ制御装置１１０により制御される補機１０６−１〜１０６−３が起動するタイミングを示している。まず、母線１０３が伝送する電力の電圧が所定の値より低くなる検出されると、変圧器１０２が送電線１０１から母線１０３に電力の供給を遮断し、自家発電機１０５が起動する。その後に、自家発電機１０５が適正な電圧、周波数の電力を生成すると、遮断機１０７が自家発電機１０５から母線１０３に電力を供給する。その後に、補機１０６−１〜１０６−３のうちの１つが起動する。さらに、補機１０６−１〜１０６−３のうちの他の補機が互いに異なる時刻で起動する。
【０００８】
時間Δｔ０は、変圧器１０２が送電線１０１から母線１０３に電力の供給を遮断する時刻ｔ１から遮断機１０７が自家発電機１０５から母線１０３に電力を供給する時刻ｔ２までの時間差で定義される。時間Δｔ１は、時刻ｔ２から１つの補機が起動する時刻ｔ３までの時間差で定義される。時間Δｔ１は、さらに、オートピックアップ制御装置１１０により補機毎に設定されている。時間Δｔ０と時間Δｔ１とは、実際に停電を発生させて測定する試験の実施が行政により義務付けられている。
【０００９】
このような試験を実行するオートピックアップ自動試験装置は、オートピックアップ制御装置１１０の機種毎に専用に製造されている。より速く試験することができるオートピックアップ自動試験装置が望まれている。
【００１０】
【特許文献１】
特開２００２−９５２９６号公報
【００１１】
【発明が解決しようとする課題】
本発明の課題は、オートピックアップ制御装置の良否を判定する試験を速く実施するオートピックアップ自動試験装置を提供することにある。
【００１２】
【課題を解決するための手段】
以下に、［発明の実施の形態］で使用される番号・符号を括弧付きで用いて、課題を解決するための手段を説明する。これらの番号・符号は、［特許請求の範囲］の記載と［発明の実施の形態］の記載との対応を明らかにするために付加されたものであり、［特許請求の範囲］に記載されている発明の技術的範囲の解釈に用いてはならない。
【００１３】
本発明によるオートピックアップ自動試験装置（３−ｉ）は、ＣＰＵを有するデータロガー（１１）と、ＣＰＵと異なる他のＣＰＵを有する制御用コンピュータ（１２）とを備えている。データロガー（１１）は、停電時に動作すべき機器（７−ｉ）の起動を検出するセンサ（１５）から起動の時刻を収集するデータ収集部（２２）と、その時刻を機器（７−ｉ）に対応づける測定結果を記録する測定結果データベース部（２１）とを備えている。制御用コンピュータ（１２）は、停電時に機器（７−ｉ）を起動するタイミングを制御するオートピックアップ制御装置（８−ｉ）の良否をその測定結果に基づいて判定するオートピックアップ判定部（３１）を備えている。
【００１４】
オートピックアップ自動試験装置（３−ｉ）は、測定結果を生成し記録する動作と、その測定結果に基づいてオートピックアップ制御装置（８−ｉ）の良否を判定する動作とを別個のＣＰＵで実行している。このため、オートピックアップ自動試験装置（３−ｉ）は、ＣＰＵを１つだけ備えられるときより、各ＣＰＵの能力をそれぞれ小さく設計することができる。オートピックアップ自動試験装置（３−ｉ）は、さらに、データロガー（１１）に市場販売される汎用のデータロガーを適用することができ、制御用コンピュータ（１２）に市場販売される汎用のコンピュータを適用することができる。このとき、オートピックアップ自動試験装置（３−ｉ）は、さらに、データロガー（１１）または制御用コンピュータ（１２）のいずれかが故障したときに、迅速に調達することができ、オートピックアップ制御装置（８−ｉ）の良否を判定する試験をスムーズに速く実施することができる。
【００１５】
機器（７−ｉ）は、停電時に動作する補機（１６）と、停電時に補機（１６）に供給される電力を生成する自家発電機とを含んでいる。オートピックアップ自動試験装置（３−ｉ）は、自家発電機が起動してから各補機（１６）が起動するまでの時間を測定する試験に利用されることができる。機器（７−ｉ）は、電気事業者の送電線からプラントに電力を供給することを遮断する遮断機を含むことが更に好ましい。このとき、遮断機が起動してから自家発電機が起動するまでの時間を測定することができる。
【００１６】
制御用コンピュータ（１２）は、機器（７−ｉ）を模擬して機器（７−ｉ）が起動する模擬時刻を生成するシミュレータ部（３２）と、データロガー判定部（３３）とを更に備えている。このとき、データ収集部（２２）は、模擬時刻を収集する。測定結果データベース部（２１）は、模擬時刻を機器（７−ｉ）に対応づける模擬測定結果を記録する。データロガー判定部（３３）は、模擬測定結果を表示装置に表示する。オートピックアップ自動試験装置（３−ｉ）は、シミュレータ部（３２）が生成する模擬時刻を収集することにより、データロガー（１１）が正常に動作するかどうかを確認する試験をすることができる。オートピックアップ自動試験装置（３−ｉ）は、データロガー（１１）が正常に動作することを確認した後に、オートピックアップ制御装置（８−ｉ）の良否を判定する試験することにより、その試験に失敗する確率を小さくし、試験を速く実施することができる。
【００１７】
センサ（１５）は、機器（７−ｉ）が起動する時刻を示す起動信号を生成する。このとき、制御用コンピュータ（１２）は、模擬された機器（７−ｉ）が起動する模擬時刻を示す模擬起動信号を生成する。データ収集部（２２）は、データロガー（１１）がコネクタ（１３）を介して起動信号を受信することにより時刻を収集し、データロガー（１１）がコネクタ（１３）を介して模擬起動信号を受信することにより模擬時刻を収集する。オートピックアップ自動試験装置（３−ｉ）は、さらに、コネクタ（１３）が正常に信号を伝達するかどうかを判定する試験することができる。オートピックアップ自動試験装置（３−ｉ）は、コネクタ（１３）が正常に信号を伝達することを確認した後に、オートピックアップ制御装置（８−ｉ）の良否を判定する試験することにより、その試験に失敗する確率を小さくし、試験を速く実施することができる。
【００１８】
制御用コンピュータ（１２）は、ホスト機（４）に接続される回線網（２）に接続されている。制御用コンピュータ（１２）は、オートピックアップ判定部（３１）により判定されたオートピックアップ制御装置（８−ｉ）の良否をホスト機（４）に回線網（２）を介して送信する判定結果送信部（３４）を更に備えている。プラントを構成する機器（７−１〜７−ｎ）が複数にグループ分けすることができるときに、各グループに属する機器（７−ｉ）ごとにオートピックアップ自動試験装置（３−ｉ）が設けられることが好ましい。このとき、複数のオートピックアップ自動試験装置（３−１〜３−ｎ）の判定結果をホスト機（４）により１箇所に収集されることが好ましい。
【００１９】
本発明によるオートピックアップ自動試験プログラムは、停電時に動作すべき機器（７−ｉ）が起動する時刻を測定して時刻を機器（７−ｉ）に対応づける測定結果を記録するデータロガー（１１）からその測定結果を収集し、その測定結果に基づいて停電時に機器を起動するタイミングを制御するオートピックアップ制御装置（８−ｉ）の良否を判定するステップをコンピュータ（１２）に実行させるコンピュータプログラム（３１）と、機器（７−ｉ）を模擬して模擬起動信号をデータロガー（１１）に出力するステップをコンピュータ（１２）に実行させるコンピュータプログラム（３２）と、データロガー（１１）により模擬起動信号に基づいて測定される模擬時刻を機器に対応づける模擬測定結果をデータロガー（１１）から収集し、模擬測定結果を表示するステップをコンピュータ（１２）に実行させるコンピュータプログラム（３３）とを備えていることが好ましい。
【００２０】
このとき、コンピュータ（１２）は、データロガー（１１）が正常に動作するかどうかを確認する試験をすることができる。コンピュータ（１２）は、データロガー（１１）が正常に動作することを確認した後に、オートピックアップ制御装置（８−ｉ）の良否を判定する試験することにより、その試験に失敗する確率を小さくし、試験を速く実施することができる。
【００２１】
【発明の実施の形態】
図面を参照して、本発明によるオートピックアップ自動試験装置が適用されるオートピックアップ自動試験システムの実施の形態を説明する。そのオートピックアップ自動試験システム１は、図１に示されているように、ローカルエリアネットワーク（以下に、「ＬＡＮ」と略記される。）２を介して複数の情報処理装置（コンピュータシステム）が互いに双方向に情報を伝送することができるように接続されている。その複数の情報処理装置は、複数のオートピックアップ自動試験装置３−１〜３−ｎ（ｎ＝２，３，４，…）とホスト機４とから形成されている。
【００２２】
オートピックアップ自動試験装置３−ｉ（ｉ＝１，２，３，…，ｎ）は、建家５−ｉに設置されている。ホスト機４は、建家６に設置されている。建家５−ｉには、さらに、機器７−ｉが設置されている。建家５−１〜５−ｎと建家６とは、機器７−１〜７−ｎとともに１つのプラントを構成している。各建家５−ｉには、さらに、停電時に動作するオートピックアップ制御装置８−ｉが設置されている。
【００２３】
ある建家５−ｊ（ｊ＝１，２，３，…，ｎ）には、機器７−ｊとしてディーゼル発電機が設置されている。そのディーゼル発電機は、停電したときに、起動して自家発電する。自家発電された電力は、プラントの建家５−１〜５−ｎと建家６とのすべてに伝送される。
【００２４】
図２は、オートピックアップ自動試験装置３−ｉを詳細に示している。オートピックアップ自動試験装置３−ｉは、データロガー１１と制御用コンピュータ１２とを備えている。データロガー１１は、ＣＰＵを備えた情報処理装置であり、センサから得られたシステムの状態、動作の時間的推移を示す時系列データを記録、処理し出力する装置である。データロガー１１は、市場販売され、周期的にデータを収集してシステムの障害の監視や稼動統計をとるときに一般的に利用されている。データロガー１１は、図示されていない入力装置、表示装置、印刷装置を備えている。制御用コンピュータ１２は、データロガー１１と互いに別個の情報処理装置である。制御用コンピュータ１２は、たとえば、パーソナルコンピュータであり、市場販売されている。制御用コンピュータ１２は、図示されていない入力装置、表示装置、印刷装置を備えている。
【００２５】
オートピックアップ自動試験装置３−ｉは、複数の動作を２つの情報処理装置に分担して実行させることができ、ＣＰＵを１つだけ備えられるときより、各ＣＰＵの能力をそれぞれ小さく設計することができる。オートピックアップ自動試験装置３−ｉは、市場販売される情報処理装置により形成されることにより、データロガー１１または制御用コンピュータ１２のいずれかが故障したときに、迅速に調達することができる。
【００２６】
機器７−ｉは、補機１６とセンサ１５とを含んでいる。補機１６は、停電時に起動すべき機器である。補機１６としては、自家発電装置、排風機、送風機、冷却ファン、安全空気圧縮装置、監視制御盤が例示される。センサ１５は、補機１６に電力を供給するリレーを含み、そのリレーは、補機１６に電力を供給すると同時に、起動信号を出力する。センサ１５は、さらに、補機１６である自家発電装置が生成する電力の電圧、周波数を測定するセンサを含み、そのセンサは、その測定結果を示す電気信号を出力する。データロガー１１は、コネクタ１３を備えている。データロガー１１は、コネクタ１３を用いてセンサ１５に接続されているときに、コネクタ１３を介してセンサ１５から起動信号を受信することができる。制御用コンピュータ１２は、コネクタ１４を備えている。データロガー１１は、コネクタ１３を用いてコネクタ１４に接続されているときに、コネクタ１３を介して制御用コンピュータ１２が生成する電気信号を受信することができる。
【００２７】
図３は、データロガー１１を詳細に示している。データロガー１１は、コンピュータプログラムである測定結果データベース２１、データ収集部２２およびデータ出力部２３を備えている。
【００２８】
測定結果データベース２１は、補機１６と補機１６の状態の時間的推移を示す時系列データとを対応付けて記録している。測定結果データベース２１は、さらに、他のコンピュータプログラムから出力される情報を追加して記録し、他のコンピュータプログラムから要求される情報を出力する。
【００２９】
データ収集部２２は、データロガー１１がセンサ１５から出力される起動信号を受信した時刻を測定して、測定結果を測定結果データベース２１に記録する。データ収集部２２は、さらに、データロガー１１が制御用コンピュータ１２から出力される電気信号を受信した時刻を測定して、測定結果を測定結果データベース２１に記録する。データ出力部２３は、入力装置の操作に基づいて、測定結果データベース２１に記録されている情報を表示装置に表示し、または、印刷装置により紙に印刷する。
【００３０】
図４は、制御用コンピュータ１２を詳細に示している．制御用コンピュータ１２は、コンピュータプログラムであるオートピックアップ判定部３１、シミュレータ部３２、データロガー判定部３３および判定結果送信部３４を備えている。
【００３１】
オートピックアップ判定部３１は、測定結果データベース２１に記録されている測定結果をデータロガー１１からダウンロードして、その測定結果に基づいて補機１６が所定の動作をしているかどうかを判定する。すなわち、オートピックアップ判定部３１は、補機１６が所定の時刻に起動しているかどうかを判定し、補機１６である自家発電装置が生成する電力が所定の時間内に所定の電圧、周波数に達しているかどうかを判定している。
【００３２】
シミュレータ部３２は、補機１６の起動を模擬して、模擬起動信号を生成する。その模擬起動信号は、模擬される補機１６が起動する模擬時刻に生成されて制御用コンピュータ１２によりコネクタ１４を介して出力される。データロガー判定部３３は、データロガー１１から記録されている模擬時刻をダウンロードして、ダウンロードされた模擬時刻とシミュレータ部３２により模擬された模擬時刻とを表示装置に表示する。データロガー判定部３３は、さらに、ダウンロードされた模擬時刻とシミュレータ部３２により模擬された模擬時刻とを比較してデータロガー１１の良否を判定する。すなわち、データロガー判定部３３は、データロガー１１が模擬時刻を正確に記録しているときに、データロガー１１を良と判定し、正確に記録していないときにはデータロガー１１を否と判定する。
【００３３】
判定結果送信部３４は、ホスト機４の要求に応答して、オートピックアップ判定部３１により判定された判定結果をホスト機４に送信する。判定結果送信部３４は、さらに、ホスト機４の要求に応答して、データロガー判定部３３により判定された判定結果をホスト機４に送信する。
【００３４】
制御用コンピュータ１２は、さらに、入力装置の操作に基づいて、オートピックアップ判定部３１による判定結果を表示装置に表示し、または、印刷装置により紙に印刷する。
【００３５】
図５は、オートピックアップ判定部３１により判定された判定結果を示している。その判定結果４１は、補機１６毎に作成され、補機１６を識別する情報とその補機１６の良否を示す情報とを対応づけている。補機１６を識別する情報は、機器番号４２、補機名称４３および設置場所４４を含んでいる。補機１６の良否を示す情報は、実測値４５と良否判定結果４６とを含んでいる。
【００３６】
機器番号４２は、文字列により表現され、複数の補機１６にそれぞれ互いに異なる文字列が対応づけられている。補機名称４３は、補機１６の呼称を示している。設置場所４４は、補機１６が設置されている場所を示している。実測値４５は、良否を判定するための物理量を示している実測値４５としては、停電してから補機１６である自家発電装置が起動するまでの時間、自家発電が確立してから他の補機１６が起動するまでの時間が例示される。良否判定結果４６は、良または否を示している。良否判定結果４６は、補機１６が所定の時間に起動したときに良を示し、補機１６が所定の時間に起動しないときに否を示す。
【００３７】
オートピックアップ自動試験装置システム１の動作は、オートピックアップ制御装置８−ｉを試験する動作と、データロガー１１を試験する動作とを備えている。
【００３８】
図６は、オートピックアップ制御装置を試験する動作を示している。まず、データロガー１１は、コネクタ１３を介してセンサ１５に接続される。センサ１５は、オートピックアップ制御装置８−ｉにより制御され、補機１６に電力を供給すると同時に起動信号をデータロガー１１に送信する（ステップＳ１）。データロガー１１は、起動信号を受信した時刻を測定して、その測定結果を記録する（ステップＳ２）。データロガー１１は、センサ１５に属するリレーの数だけ並行してステップＳ１〜ステップＳ２を繰り返して実行する。
【００３９】
制御用コンピュータ１２は、すべての補機１６が起動した後に、データロガー１１に測定結果を要求して（ステップＳ３）、測定結果をダウンロードする（ステップＳ４）。制御用コンピュータ１２は、補機１６の状態推移を示す時系列データから、補機１６の起動時刻を算出し、その結果に基づいて、オートピックアップ制御装置８−ｉが正常に動作して、補機１６が所定の時間内に起動しているかどうかを判定し、その判定結果を記録する（ステップＳ５）。
【００４０】
ホスト機４は、すべてのオートピックアップ制御装置８−１〜８−ｎの動作が終了して、すべてのオートピックアップ自動試験装置３−１〜３−ｎが判定し終わった後に、制御用コンピュータ１２に判定結果を要求して（ステップＳ６）、その判定結果をダウンロードする（ステップＳ７）。
【００４１】
このとき、ホスト機４は、複数のオートピックアップ自動試験装置３−１〜３−ｎの判定結果を１箇所に収集することができ、プラント全体の停電時の信頼性を速く評価することができる。
【００４２】
図７は、データロガー１１を試験する動作を示している。まず、データロガー１１は、コネクタ１３とコネクタ１４とを用いて制御用コンピュータ１２に接続される。制御用コンピュータ１２は、補機１６とセンサ１５とを模擬して（ステップＳ１１）、補機１６が起動する模擬時刻に模擬起動信号をデータロガー１１に送信する（ステップＳ１２）。データロガー１１は、模擬起動信号を受信した時刻を測定して、その測定結果を記録する（ステップＳ１３）。データロガー１１は、制御用コンピュータ１２により模擬される補機１６の数だけ並行してステップＳ１２〜ステップＳ１３を繰り返して実行する。
【００４３】
制御用コンピュータ１２は、模擬起動信号をすべて出力した後に、データロガー１１に測定結果を要求して（ステップＳ１４）、測定結果をダウンロードする（ステップＳ１５）。制御用コンピュータ１２は、測定結果に基づいて、模擬起動信号が時間内に起動しているかどうかを判定し、その判定結果を記録する（ステップＳ１６）。オートピックアップ自動試験装置３−ｉは、データロガー１１が正常に動作していないと測定結果から判断されたときに、データロガー１１またはコネクタ１３が修理され、または、故障がないものに交換される。
【００４４】
オートピックアップ制御装置８−１〜８−ｎの試験は、実際に模擬的に停電を発生させて実施され、プラントは試験中に稼動していない。このため、この試験は、失敗しないで、実施されることが望まれている。オートピックアップ自動試験装置３−ｉによれば、データロガー１１が測定結果を記録することに失敗する確率を小さくし、オートピックアップ制御装置８−ｉの良否を判定する試験を速く実施することができる。
【００４５】
【発明の効果】
本発明によるオートピックアップ自動試験装置は、オートピックアップ制御装置の良否を判定する試験を速く実施することができる。
【図面の簡単な説明】
【図１】図１は、本発明によるオートピックアップ自動試験装置が適用されるオートピックアップ自動試験システムの実施の形態を示すブロック図である。
【図２】図２は、本発明によるオートピックアップ自動試験装置の実施の形態を示すブロック図である。
【図３】図３は、データロガーを示すブロック図である。
【図４】図４は、制御用コンピュータを示すブロック図である。
【図５】図５は、判定結果を示す図である。
【図６】図６は、オートピックアップ制御装置を試験する動作の実施の形態を示すフローチャートである。
【図７】図７は、データロガーを試験する動作の実施の形態を示すフローチャートである。
【図８】図８は、公知のプラントの実施の形態を示す回路ブロック図である。
【図９】図９は、オートピックアップ制御装置により機器が起動するタイミングを示すグラフである。
【符号の説明】
１　：オートピックアップ自動試験システム
２　：ＬＡＮ
３−１〜３−ｎ：オートピックアップ自動試験装置
４　：ホスト機
５−１〜５−ｎ：建家
６　：建家
７−１〜７−ｎ：機器
８−１〜８−ｎ：オートピックアップ制御装置
１１：データロガー
１２：制御用コンピュータ
１３：コネクタ
１４：コネクタ
１５：センサ
１６：補機
２１：測定結果データベース
２２：データ収集部
２３：データ出力部
３１：オートピックアップ判定部
３２：シミュレータ部
３３：データロガー判定部
３４：判定結果送信部
４１：判定結果
４２：機器番号
４３：補機名称
４４：設置場所
４５：実測値
４６：良否判定結果
【図１】
2004096957.tif 000003
【図２】
2004096957.tif 000004
【図３】
2004096957.tif 000005
【図４】
2004096957.tif 000006
【図５】
2004096957.tif 000007
【図６】
2004096957.tif 000008
【図７】
2004096957.tif 000009
【図８】
2004096957.tif 000010
【図９】
2004096957.tif 000011